(57)【要約】【課題】コンタクトとＦＰＣの接続部との所定の接触圧を確保しながらハウジングの幅方向の長さを短くすることにより、小型化することができるフレキシブル基板接続用コネクタを提供すること。【解決手段】コンタクト２０は、挿入孔６０に突出することによりフレキシブル基板８０に接続する接続部２４を備える。コンタクト３０は、延設部３３の先端より奥行方向に折り返される折返部３４と、折返部３４の先端より奥行方向に延設されると共に挿入孔６０に突出してフレキシブル基板８０に接続する接続部３５と、を備える。接続部２４と接続部３５とは、幅方向に沿って千鳥状に配置される。【選択図】図１
2015204227.tif 000002
【特許請求の範囲】
【請求項１】
底面部と、前記底面部の幅方向の両側に前記幅方向と交差する奥行方向に沿って立設された側壁部と、を備えた絶縁性を有するハウジングと、
前記ハウジングに取り付けられて前記ハウジングの上方を覆うカバーと、
前記カバーと、前記側壁部と、前記底面部と、により囲まれると共に、前記奥行方向の手前側に開口した開口部から前記奥行方向に延設され、フレキシブル基板を挿入可能な挿入孔と、
前記ハウジングに固定される第１の固定部と、前記第１の固定部から前記奥行方向に延設されて前記挿入孔に突出することにより前記フレキシブル基板に接続する第１の接続部と、を備え、前記幅方向に配列する板状の複数の第１のコンタクトと、
前記第１の固定部よりも前記奥行方向において前記開口部から離れた位置で前記ハウジングに固定される第２の固定部と、前記第２の固定部から前記奥行方向の反対方向に向けて延設される延設部と、前記延設部の先端より前記奥行方向に折り返される折返部と、前記折返部の先端より前記奥行方向に延設されると共に前記挿入孔に突出して前記フレキシブル基板に接続する第２の接続部と、を備え、前記幅方向に配列する板状の複数の第２のコンタクトと、
を有し、
前記第１の接続部と前記第２の接続部とは前記幅方向に沿って千鳥状に配置される、
ことを特徴とするフレキシブル基板接続用コネクタ。
【請求項２】
前記折返部の板幅方向の長さは、
前記延設部の板幅方向の長さよりも短く、
前記第１の接続部は、
前記幅方向において隣接する前記折返部の間に位置する、
ことを特徴とする請求項１記載のフレキシブル基板接続用コネクタ。
【請求項３】
前記ハウジングは、
前記奥行方向において前記第１のコンタクト及び前記第２のコンタクトと干渉しない位置で前記挿入孔に突出すると共に前記カバーとの間に所定距離を設けて前記カバーに対向する突出部を有する、
ことを特徴とする請求項１又は請求項２記載のフレキシブル基板接続用コネクタ。
【請求項４】
前記突出部は、
前記開口部に向けて傾斜する第１の傾斜面と、前記開口部から離れる方向に向けて傾斜する第２の傾斜面と、を有する、
ことを特徴とする請求項３記載のフレキシブル基板接続用コネクタ。
【発明の詳細な説明】
【技術分野】
【０００１】
本発明は、多極化されたフレキシブル基板と接続するフレキシブル基板接続用コネクタに関する。
【背景技術】
【０００２】
近年、移動端末装置等の電子機器の薄型化及び小型化に伴って、電子機器に搭載されるコネクタに対する低背化及び小型化の要求が高まっている。また、従来、パッドと呼ばれる接続部を千鳥状に配置して多極化したフレキシブル基板（以下、「ＦＰＣ」と記載する）と接続するフレキシブル基板接続用コネクタが知られている。かかるフレキシブル基板接続用コネクタに対しても低背化及び小型化の要求がある。
【０００３】
特許文献１は、ロックレバー又は押圧のためのカム機構を設けることなく、ＦＰＣと接続することにより、上記の低背化の要求に応えたフレキシブル基板接続用コネクタを開示する。特許文献１のフレキシブル基板接続用コネクタは、上方に突出してＦＰＣの接続部と接続する電気接点部を有する第１コネクタ端子及び第２コネクタ端子を筐体に一体成形により固定し、第１コネクタ端子及び第２コネクタ端子を、筐体の幅方向に沿って交互に配置して一列に並べる構成を有している。第１コネクタ端子及び第２コネクタ端子は、長手方向の両端に設けられた埋込部が筐体の支持部に支持されて筐体に固定される。
【０００４】
電気接点部は、平面から視て千鳥状に配置され、ＦＰＣの千鳥状に配置された各接続部と接続する。これにより、特許文献１のフレキシブル基板接続用コネクタは、多極化されたＦＰＣと接続することができる。ここで、多極化とは、ＦＰＣの接続部を千鳥状に配置して接続部のピッチ幅を狭くすることにより、接続部を多数配置することを言う。
【先行技術文献】
【特許文献】
【０００５】
【特許文献１】特開２００８−２３４９９８号公報
【発明の概要】
【発明が解決しようとする課題】
【０００６】
しかしながら、特許文献１においては、ＦＰＣの接続部とコンタクトであるコネクタ端子との所定の接触圧を得るためには、コネクタ端子の幅を小さくすることができないので、ハウジングである筐体の幅方向の長さを小さくすることができず、小型化に限界を生じるという課題を有する。
【０００７】
本発明の目的は、ＦＰＣの接続部と接続するコンタクトの接続部を千鳥状に配置する場合に、コンタクトとＦＰＣの接続部との所定の接触圧を確保しながらハウジングの幅方向の長さを短くすることにより、小型化することができるフレキシブル基板接続用コネクタを提供することである。
【課題を解決するための手段】
【０００８】
本発明に係るフレキシブル基板接続用コネクタは、底面部と、前記底面部の幅方向の両側に前記幅方向と交差する奥行方向に沿って立設された側壁部と、を備えた絶縁性を有するハウジングと、前記ハウジングに取り付けられて前記ハウジングの上方を覆うカバーと、前記カバーと、前記側壁部と、前記底面部と、により囲まれると共に、前記奥行方向の手前側に開口した開口部から前記奥行方向に延設され、フレキシブル基板を挿入可能な挿入孔と、前記ハウジングに固定される第１の固定部と、前記第１の固定部から前記奥行方
向に延設されて前記挿入孔に突出することにより前記フレキシブル基板に接続する第１の接続部と、を備え、前記幅方向に配列する板状の複数の第１のコンタクトと、前記第１の固定部よりも前記奥行方向において前記開口部から離れた位置で前記ハウジングに固定される第２の固定部と、前記第２の固定部から前記奥行方向の反対方向に向けて延設される延設部と、前記延設部の先端より前記奥行方向に折り返される折返部と、前記折返部の先端より前記奥行方向に延設されると共に前記挿入孔に突出して前記フレキシブル基板に接続する第２の接続部と、を備え、前記幅方向に配列する板状の複数の第２のコンタクトと、を有し、前記第１の接続部と前記第２の接続部とは前記幅方向に沿って千鳥状に配置される。
【０００９】
第２のコンタクトを折返部で折り返して、第１のコンタクトと第２のコンタクトとが交互に幅方向に沿って一列に並ばないようにしたことにより、ＦＰＣの接続部と、第１のコンタクト及び第２のコンタクトと、の所定の接触圧が得られるように第１のコンタクト及び第２のコンタクトの板幅を大きくしても、ハウジングの幅方向の長さが長くならない。
【発明の効果】
【００１０】
本発明によれば、ＦＰＣの接続部と接続するコンタクトの接続部を千鳥状に配置する場合に、コンタクトとＦＰＣの接続部との所定の接触圧を確保しながらハウジングの幅方向の長さを短くすることにより、小型化することができる。
【図面の簡単な説明】
【００１１】
【図１】本発明の実施形態に係るフレキシブル基板接続用コネクタの上方の斜め前方から視た分解斜視図である。
【図２】本発明の実施形態に係るフレキシブル基板接続用コネクタの上方の斜め前方から視た斜視図である。
【図３】図２のＡ−Ａ断面図
【図４】本発明の実施形態に係るフレキシブル基板接続用コネクタにおけるカバーを取り除いた状態の平面図である。
【図５】本発明の実施形態に係るフレキシブル基板接続用コネクタにおけるカバーを取り除いた状態の正面図である。
【図６】本発明の実施形態における第２のコンタクトの上方の斜め後方から視た斜視図である。
【図７】本発明の実施形態における第２のコンタクトの平面図である。
【図８】本発明の実施形態における第１のコンタクトの上方の斜め後方から視た斜視図である。
【図９】本発明の実施形態における第１のコンタクトの平面図である。
【図１０】本発明の実施形態におけるＦＰＣの平面図である。
【図１１】本発明の実施形態の変形例１に係るフレキシブル基板接続用コネクタのカバーを取り除いた状態の要部の拡大平面図である。
【図１２】本発明の実施形態の変形例１に係るフレキシブル基板接続用コネクタのカバーを取り除いた状態の要部の拡大正面図である。
【図１３】本発明の実施形態の変形例２に係るフレキシブル基板接続用コネクタのカバーを取り除いた状態の要部の拡大平面図である。
【図１４】本発明の実施形態の変形例２に係るフレキシブル基板接続用コネクタのカバーを取り除いた状態の要部の拡大正面図である。
【発明を実施するための形態】
【００１２】
以下、図面を適宜参照して、本発明の実施形態に係るフレキブル基板接続用コネクタにつき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、
及びｚ軸の負方向を下方向として説明する。
【００１３】
＜フレキシブル基板接続用コネクタの構成＞
本発明の実施形態に係るフレキシブル基板接続用コネクタ１の構成につき、図１から図９を参照しながら、以下詳細に説明する。
【００１４】
フレキシブル基板接続用コネクタ１は、図１０に示す多極化されたＦＰＣ８０と接続する。
【００１５】
フレキシブル基板接続用コネクタ１は、ハウジング１０と、コンタクト２０と、コンタクト３０と、カバー４０と、を備えている。
【００１６】
ハウジング１０は、絶縁性を有する材料により形成されている。ハウジング１０は、底面部１１と、側壁部１２と、後方壁１３と、を有している。ハウジング１０には、上下に貫通する貫通孔１４が形成されている。貫通孔１４の周囲には、底面部１１及び後方壁１３が形成されている。
【００１７】
底面部１１は、開口部５０の一部を形成する前端上方の角部が面取りされている（図３参照）。底面部１１は、ｘ−ｙ平面に沿って平坦になっている。底面部１１には、挿入孔６０において上方に突出する突出部７０が形成されている。
【００１８】
突出部７０は、側壁部１２に当接し、前後方向においてコンタクト２０及びコンタクト３０と干渉しない位置で挿入孔６０に突出している（図５参照）。即ち、突出部７０は、前方から視てコンタクト２０及びコンタクト３０と重ならない位置に設けられている。また、突出部７０は、カバー４０との間に所定距離を設けてカバー４０に対向するように形成されている（図３参照）。挿入孔６０内における突出部７０の上端とカバー４０の下面との間隔は、ＦＰＣ８０の厚み（ｚ軸方向の長さ）に略等しくなっている。突出部７０は、側壁部１２から左右内方に向けて傾斜した稜線部７１と、稜線部７１から開口部５０に向けて傾斜する傾斜面７２と、稜線部７１から開口部５０より離れる方向に向けて傾斜する傾斜面７３と、を有している。突出部７０は、上方から視て三角形に形成されている。稜線部７１は、側壁部１２の上面よりも低い位置に形成されている。
【００１９】
側壁部１２は、底面部１１の左右両側の端部において、底面部１１の前端から後端に亘って、左右方向に交差する方向である前後方向に沿って立設されている。側壁部１２は、開口部５０の一部を形成する前端部１５と、前端部１５の後方に形成されるガイド部１６と、を有している。前端部１５の後端には、ガイド部１６よりも上方及び左右外方に突出する停止部１７が形成されている。
【００２０】
後方壁１３は、左右の側壁部１２の後端の内壁面の間において、側壁部１２のガイド部１６と同じ高さになるように形成されている。
【００２１】
コンタクト２０は、直線状であり、板状の金属板をプレス加工することにより形成されている。コンタクト２０は、複数設けられ、ハウジング１０の底面部１１の貫通孔１４よりも前方において底面部１１に一体成形により固定され、左右方向に配列している。
【００２２】
コンタクト２０は、ハウジング１０の底面部１１から外部前方に突出して図示しない回路基板に半田付けされる端子部２１と、底面部１１に固定される固定部２２と、固定部２２の後方端から後方に延設されると共に斜め上方に曲げ起こされて貫通孔１４の上方に位置し、挿入孔６０に突出してＦＰＣ８０の接続部８２に接続する接続部２４と、を有している（図８及び図９参照）。接続部２４の先端は、コンタクト３０の左右方向において隣
接する折返部３４の間に位置している（図４参照）。コンタクト２０は、板幅方向（ｘ軸方向）の中心線に対して対称の形状を有している。
【００２３】
接続部２４の板幅方向の長さは、固定部２２の後方側の板幅方向の長さＷ１よりも短くなっている（図９参照）。接続部２４の固定部２２との接続部側は、先端（ｙ軸の負方向）に向かうほど板幅方向の長さが短くなっている。接続部２４の先端側は、板幅方向の長さが同一になっている。
【００２４】
コンタクト３０は、Ｕ字状であり、板状の金属板をプレス加工することにより形成されている。コンタクト３０は、複数設けられ、ハウジング１０の後方壁１３に一体成形により固定されて左右方向に配列している。
【００２５】
コンタクト３０は、後方壁１３から外部後方に突出して図示しない回路基板に半田付けされる端子部３１と、後方壁１３に固定される固定部３２と、固定部３２の前方端から前方に延設されて前方側が貫通孔１４上に位置する延設部３３と、延設部３３の前端から後方に折り返されると共に貫通孔１４上に位置する折返部３４と、折返部３４の後端から後方に延設されると共に延設部３３上に位置し、挿入孔６０に突出してＦＰＣ８０の接続部８１に接続する接続部３５と、を有している（図６及び図７参照）。コンタクト３０は、板幅方向（ｘ軸方向）の中心線に対して対称の形状を有している。
【００２６】
折返部３４の板幅方向の長さＷ３は、延設部３３の板幅方向の長さＷ２よりも短くなっている（Ｗ３＜Ｗ２）（図７参照）。
【００２７】
接続部３５の板幅方向の長さは、折返部３４の板幅方向の長さＷ３よりも短くなっている。接続部３５の折返部３４との接続部側は、先端（ｙ軸の負方向）に向かうほど板幅方向の長さが短くなっている。接続部３５の先端側は、板幅方向の長さが同一になっている。
【００２８】
コンタクト２０の接続部２４とコンタクト３０の接続部３５とは、左右方向に沿って互い違いに前後にずれるように千鳥状に配置されている。左右方向で隣接するコンタクト２０及びコンタクト３０において、コンタクト２０の板幅方向の中心線Ｌ１と、コンタクト３０の板幅方向の中心線Ｌ２と、の左右方向の間隔ｒ２は、左右方向で隣接するコンタクト２０の板幅方向の中心線Ｌ１の間隔ｒ１、及び左右方向で隣接するコンタクト３０の板幅方向の中心線Ｌ２の間隔ｒ１の２分の１になっている（ｒ２＝ｒ１／２）（図４参照）。コンタクト２０のバネ定数とコンタクト３０のバネ定数とは、同一である。
【００２９】
カバー４０は、金属板をプレス加工することにより形成されている。カバー４０は、左右端部を下方及び内方にＵ字状に折り曲げて形成した係止部４１と、後端を下方にＬ字状に折り曲げて形成した当接部４２と、を有している。カバー４０は、側壁部１２の前端部１５よりも後方においてハウジング１０の上方を覆っている。
【００３０】
開口部５０は、底面部１１の前端と、側壁部１２の前端と、カバー４０の前端と、により囲まれて形成され、挿入孔６０の前方側（後方（奥行方向）の手前側）を外部に開放する。
【００３１】
挿入孔６０は、カバー４０と、側壁部１２と、底面部１１と、により囲まれると共に、開口部５０から後方に向かって後方壁１３の前端まで延設されている。挿入孔６０は、ＦＰＣ８０を挿入可能にしている。挿入孔６０の左右方向の幅は、ＦＰＣ８０の幅Ｗ４（図１０参照）と略同一である。挿入孔６０の上下方向の高さは、ＦＰＣ８０の厚みよりも若干大きくなっている。従って、ＦＰＣ８０は、挿入孔６０内で上下に移動可能である。な
お、ＦＰＣ８０の接続部８１及び接続部８２は、絶縁部８３の表面よりも僅かに盛り上がっている。
【００３２】
＜フレキシブル基板接続用コネクタの組み立て方法＞
本発明の実施形態に係るフレキシブル基板接続用コネクタ１の組み立て方法につき、以下に説明する。
【００３３】
まず、ハウジング１０を樹脂の射出成型により形成する。この際、コンタクト２０及びコンタクト３０をハウジング１０に一体成形することにより、コンタクト２０をハウジング１０の底面部１１に固定すると共に、コンタクト３０をハウジング１０の後方壁１３に固定する。
【００３４】
ハウジング１０の上方は外部に開放されているため、ハウジング１０を樹脂の射出成型により形成する際に、例えば上下にスライドする簡単な構造の金型を用いて突出部７０を形成することができる。また、コンタクト２０の接続部２４を、左右方向において隣接する折返部３４の間に配置することにより、ハウジング１０の前後方向における長さを短くすることができるので、フレキシブル基板接続用コネクタ１を小型化することができる。
【００３５】
次に、カバー４０の係止部４１をハウジング１０の側壁部１２のガイド部１６に係合させた状態で、カバー４０をハウジング１０の後方から前方にスライドさせる。
【００３６】
そして、カバー４０の前端が前端部１５の停止部１７に当接するまでカバー４０を前方にスライドさせることにより組み立てを完了する。カバー４０は、係止部４１がガイド部１６を挟持して自身の弾性力によりガイド部１６の上面及び下面に圧接することにより、ハウジング１０から脱落しないようになっている。
【００３７】
カバー４０を金属板より形成することにより、カバー４０をシールド板として利用することができ、外部からのノイズの影響を低減することができる。
【００３８】
＜フレキシブル基板接続用コネクタの動作＞
本発明の実施形態に係るフレキシブル基板接続用コネクタ１の動作につき、以下に説明する。
【００３９】
最初に、フレキシブル基板接続用コネクタ１にＦＰＣ８０を挿入する際のフレキシブル基板接続用コネクタ１の動作について説明する。
【００４０】
まず、ＦＰＣ８０を開口部５０から挿入孔６０内に挿入する。この際、開口部５０を形成する底面部１１の前端上方の角部を面取りしているので、ＦＰＣ８０を挿入孔６０内に容易に挿入することができる。
【００４１】
次に、ＦＰＣ８０を挿入孔６０の奥に挿入すると、ＦＰＣ８０の先端が突出部７０の傾斜面７２に当接する。
【００４２】
次に、ＦＰＣ８０を挿入孔６０の更に奥に挿入すると、ＦＰＣ８０の先端の突出部７０と当接した箇所は、上方に湾曲しながら傾斜面７２をスライドして登り、突出部７０の稜線部７１を乗り越える。
【００４３】
この際、ＦＰＣ８０は、突出部７０に傾斜面７２を設けたことにより、稜線部７１を容易に乗り越えることができる。また、稜線部７１を左右内方に向けて傾斜させたことにより、稜線部７１を乗り越える際のＦＰＣ８０に対する負荷を軽減することができる。
【００４４】
次に、ＦＰＣ８０を挿入孔６０の更に奥に挿入すると、カバー４０により上方への移動を規制されたＦＰＣ８０の下面により、コンタクト２０が下方に押圧されて弾性変形する。
【００４５】
次に、ＦＰＣ８０を挿入孔６０の更に奥に挿入すると、カバー４０により上方への移動を規制されたＦＰＣ８０の下面により、コンタクト３０が下方に押圧されて弾性変形する。
【００４６】
この際、コンタクト２０の接続部２４及びコンタクト３０の接続部３５はＦＰＣ８０の挿入方向と同一方向である後方に向かって延設されているので、ＦＰＣ８０を挿入孔６０に挿入する際におけるＦＰＣ８０のこじり挿入により、コンタクト２０及びコンタクト３０が変形してしまうことを防ぐことができる。
【００４７】
また、コンタクト３０は、Ｕ字状に形成したことにより左右に撓み難い。従って、コンタクト３０の接続部３５とＦＰＣ８０の接続部８１との接続の際に、接続部８１の絶縁部８３の表面からの盛り上がりに伴って、コンタクト３０が接続部８１の左右方向に逃げてしまうことによる、コンタクト３０と接続部８１との接触圧の低下を防ぐことができる。
【００４８】
次に、ＦＰＣ８０の係合凹部８４が突出部７０に係合し、ＦＰＣ８０の接続部８１とコンタクト３０の接続部３５とが接続すると共に、ＦＰＣ８０の接続部８２とコンタクト２０とが接続する。この際、ＦＰＣ８０は、係合凹部８４と突出部７０とが係合すると共に、コンタクト２０及びコンタクト３０の弾性復帰力により上方に付勢されてコンタクト２０及びコンタクト３０とカバー４０との間に挟持されるため、前後方向の移動を規制される。
【００４９】
ＦＰＣ８０の係合凹部８４と突出部７０とが係合する際にＦＰＣ８０を介してクリック感を生じさせることにより、ＦＰＣ８０の挿入孔６０に対する挿入完了位置をクリック感により把握することができる。
【００５０】
次に、フレキシブル基板接続用コネクタ１からＦＰＣ８０を引き抜く際のフレキシブル基板接続用コネクタ１の動作について説明する。
【００５１】
まず、ＦＰＣ８０を前方に少し強い力で引っ張ってスライドさせると、ＦＰＣ８０の係合凹部８４と突出部７０との係合が解除されて、ＦＰＣ８０の係合凹部８４よりも後方側が突出部７０の傾斜面７３をスライドしながら登り、稜線部７１を乗り越える。
【００５２】
この際、ＦＰＣ８０は、突出部７０に傾斜面７３を設けたことにより、稜線部７１を容易に乗り越えることができる。
【００５３】
次に、ＦＰＣ８０がコンタクト３０上から前方に移動することにより、ＦＰＣ８０によるコンタクト３０に対する下方への押圧力が解除されて、コンタクト３０の弾性力によりコンタクト３０が上方に復帰する。
【００５４】
次に、ＦＰＣ８０がコンタクト２０上から前方に移動することにより、ＦＰＣ８０によるコンタクト２０に対する下方への押圧力が解除されて、コンタクト２０の弾性力によりコンタクト２０が上方に復帰する。
【００５５】
そして、ＦＰＣ８０の先端が突出部７０を通過し、更に開口部５０を通過することにより、ＦＰＣ８０が挿入孔６０より引き抜かれる。
【００５６】
＜変形例１＞
本発明の実施形態の変形例１に係るフレキシブル基板接続用コネクタの構成につき、図１１及び図１２を参照しながら、以下に説明する。
【００５７】
変形例１は、突出部７０の代わりに突出部９１を設けたものである。なお、変形例１における突出部９１以外の構成は図１から図１０と同一構成であるので、その説明を省略する。
【００５８】
突出部９１は、図１１に示すように、上方から視た形状が四角形になっている。突出部９１は、図１２に示すように、前方から視た形状が四角形になっている。変形例１によれば、図１から図１０に示した突出部７０を設ける構成のフレキシブル基板接続用コネクタに比較して、ＦＰＣ８０をフレキシブル基板接続用コネクタに接続した後に、ＦＰＣ８０が不用意に挿入孔６０より前方に抜けてしまうことを確実に防ぐことができる。
【００５９】
なお、突出部９１は、前方から視た形状が四角形である場合に限らず、前方から視た形状が側壁部１２から左右内方（図１２においてはｘ軸の正方向）に向けて傾斜する三角形になっていてもよい。
【００６０】
＜変形例２＞
本発明の実施形態の変形例２に係るフレキシブル基板接続用コネクタの構成につき、図１３及び図１４を参照しながら、以下に説明する。
【００６１】
変形例２は、突出部７０の代わりに突出部９２を設けたものである。なお、変形例２における突出部９２以外の構成は図１から図１０と同一構成であるので、その説明を省略する。
【００６２】
突出部９２は、図１３に示すように、上方から視て半円形に形成されている。突出部９２は、図１４に示すように、前方から視た形状が下方に湾曲した形状になっている。変形例２によれば、図１から図１０に示した突出部７０を設ける構成のフレキシブル基板接続用コネクタに比較して、フレキシブル基板接続用コネクタに対するＦＰＣ８０の挿抜を容易に行うことができる。
【００６３】
＜その他の変形例＞
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００６４】
例えば、本実施形態において、突出部７０を設けたが、突出部７０を設けなくてもよい。
【００６５】
また、本実施形態において、ハウジング１０に突出部７０を設けたが、カバー４０に挿入孔６０に突出する突出部を形成してもよい。
【００６６】
また、本実施形態において、ハウジング１０に貫通孔１４を形成したが、貫通孔１４を設けずに底面全体に底面部１１を設けてもよい。
【００６７】
また、本実施形態において、左右方向において隣接するコンタクト３０の折返部３４の間に、コンタクト２０の接続部２４の先端を配置したが、折返部３４よりも前方に接続部２４の先端を配置してもよい。この場合には、折返部３４の板幅方向の長さを延設部３３
の板幅方向の長さと同一にしてもよい。
【００６８】
また、本実施形態において、間隔ｒ２を間隔ｒ１の２分の１にしたが、ＦＰＣに形成した接続部の位置に合わせて、間隔ｒ１と間隔ｒ２との長さ関係を適宜変更することができる。
【００６９】
また、本実施形態において、カバーを後方からスライドさせることによりハウジングに取り付けたが、カバーを上方からハウジングに取り付けるようにしてもよい。
【産業上の利用可能性】
【００７０】
本発明は、多極化されたフレキシブル基板と接続するフレキシブル基板接続用コネクタに好適である。
【符号の説明】
【００７１】
１  フレキシブル基板接続用コネクタ
１０  ハウジング
１１  底面部
１２  側壁部
１３  後方壁
１４  貫通孔
１５  前端部
１６  ガイド部
１７  停止部
２０  コンタクト
２１  端子部
２２  固定部
２４  接続部
３０  コンタクト
３１  端子部
３２  固定部
３３  延設部
３４  折返部
３５  接続部
４０  カバー
４１  係止部
４２  当接部
５０  開口部
６０  挿入孔
７０  突出部
７１  稜線部
７２  傾斜部
７３  傾斜部
８０  ＦＰＣ
８１  接続部
８２  接続部
８３  絶縁部
８４  係合凹部
【図１】
2015204227.tif 000003
【図２】
2015204227.tif 000004
【図３】
2015204227.tif 000005
【図４】
2015204227.tif 000006
【図５】
2015204227.tif 000007
【図６】
2015204227.tif 000008
【図７】
2015204227.tif 000009
【図８】
2015204227.tif 000010
【図９】
2015204227.tif 000011
【図１０】
2015204227.tif 000012
【図１１】
2015204227.tif 000013
【図１２】
2015204227.tif 000014
【図１３】
2015204227.tif 000015
【図１４】
2015204227.tif 000016